(57)【要約】【課題】ゴムブーツがねじれたり、軸方向にずれたりすることを防止する。【解決手段】本明細書によって開示されるワイヤハーネス用外装材１０は、電線Ｗが内部に収容されたワイヤハーネス用外装材１０であって、筒状をなし、一側開口部３１と円形の他側開口部３２とを有するゴムブーツ３０と、円筒状の取付部４１を有し、取付部４１が他側開口部３２の内側に収容されるコルゲートチューブ４０と、他側開口部３２と取付部４１の間に配設され、他側開口部３２を取付部４１に対して移動可能とさせるスリーブとを備えた構成とした。【選択図】図４
2017004740.tif 000002
【特許請求の範囲】
【請求項１】
電線が内部に収容されたワイヤハーネス用外装材であって、
筒状をなし、一側開口部と円形の他側開口部とを有するゴムブーツと、
円筒状の取付部を有し、前記取付部が前記他側開口部の内側に収容されるコルゲートチューブと、
前記他側開口部と前記取付部の間に配設され、前記他側開口部を前記取付部に対して移動可能とさせるスリーブとを備えたワイヤハーネス用外装材。
【請求項２】
前記取付部の外周には、周方向に延びる環状凹部が設けられ、前記スリーブの内周には、前記環状凹部に嵌合する環状突部が設けられている請求項１に記載のワイヤハーネス用外装材。
【請求項３】
前記スリーブは、前記他側開口部の内側に嵌合することで組み立てられる樹脂部品である請求項１または請求項２に記載のワイヤハーネス用外装材。
【発明の詳細な説明】
【技術分野】
【０００１】
本明細書によって開示される技術は、ワイヤハーネス用外装材に関する。
【背景技術】
【０００２】
従来、ワイヤハーネスに用いられる外装材として、例えば特開２０１２−２２６９４８号公報（下記特許文献１）に記載のシールドコネクタが知られている。このシールドコネクタは、シールドシェルを有し、シールドシェルは、コネクタハウジングの小径部を覆う筒状のシェル本体部を備えて構成されている。シェル本体部の外周面には第一ゴムブーツの前端開口部が嵌合され、これらが締め付けバンドによってかしめ固定されている。一方、第一ゴムブーツの後端開口部の内周面にはコルゲートチューブの前端部の外周面が嵌合され、これらがテープ巻きによって固定されている。
【０００３】
第一ゴムブーツの組付手順について簡単に説明すると、まず、複数の電線をコルゲートチューブと第一ゴムブーツに先通ししておき、コルゲートチューブと第一ゴムブーツの後端開口部とをテープ巻によって固定する。次に、第一ゴムブーツの前端開口部をシールドシェルのシェル本体部に対して所定の姿勢で組み付けて締め付けバンドによってかしめ固定する。
【先行技術文献】
【特許文献】
【０００４】
【特許文献１】特開２０１２−２２６９４８号公報
【発明の概要】
【発明が解決しようとする課題】
【０００５】
しかしながら、上記の組付方法では、第一ゴムブーツがテープ巻によってコルゲートチューブに固定された状態で、第一ゴムブーツの前端開口部をシェル本体部の位置に合わせにいくことになるものの、コルゲートチューブは柔軟性が小さいため、合わせにいく際に第一ゴムブーツがねじれられたり軸方向にずれたりして意匠性が低下するおそれがある。
【課題を解決するための手段】
【０００６】
本明細書によって開示されるワイヤハーネス用外装材は、電線が内部に収容されたワイヤハーネス用外装材であって、筒状をなし、一側開口部と円形の他側開口部とを有するゴムブーツと、円筒状の取付部を有し、前記取付部が前記他側開口部の内側に収容されるコルゲートチューブと、前記他側開口部と前記取付部の間に配設され、前記他側開口部を前記取付部に対して移動可能とさせるスリーブとを備えた構成とした。
【０００７】
このような構成によると、ゴムブーツの一側開口部をシールドシェルなどに組み付けた際にゴムブーツがねじられようとした場合でも、スリーブによってゴムブーツの他側開口部がコルゲートチューブの取付部に対して移動するため、ゴムブーツがねじられることはなく意匠性が低下するおそれはない。同様に、ゴムブーツが軸方向にずれようとした場合でも、スリーブによってゴムブーツが軸方向にずれることはなく意匠性が低下するおそれはない。
【０００８】
本明細書によって開示されるワイヤハーネス用外装材として、以下の構成としてもよい。
前記取付部の外周には、周方向に延びる環状凹部が設けられ、前記スリーブの内周には、前記環状凹部に嵌合する環状突部が設けられている構成としてもよい。
このような構成によると、環状突部と環状凹部が嵌合することにより、周方向の移動を許容しつつも、スリーブが取付部から外れないように保持することができる。
【０００９】
前記スリーブは、前記他側開口部の内側に嵌合することで組み立てられる樹脂部品である構成としてもよい。
このような構成によると、電線径が変更になったり、電線本数が変更になったりした場合でも、スリーブの形状を変更すれば対応することができるため、柔軟な対応が可能になる。
【発明の効果】
【００１０】
本明細書によって開示されるワイヤハーネス用外装材によれば、ゴムブーツがねじれたり、軸方向にずれたりすることを防止できる。
【図面の簡単な説明】
【００１１】
【図１】実施形態におけるワイヤハーネス用外装材の正面図
【図２】ワイヤハーネス用外装材の平面図
【図３】ワイヤハーネス用外装材の側面図
【図４】図２におけるＡ−Ａ線断面図
【発明を実施するための形態】
【００１２】
＜実施形態＞
実施形態を図１から図４の図面を参照しながら説明する。本実施形態におけるワイヤハーネス用外装材（以下、「外装材」という）１０は、図１に示すように、図示しないシールドコネクタから引き出された電線Ｗを内部に収容する外装材１０であって、シールドコネクタに装着されたシールドシェル２０などに固定される。図４に示すように、本実施形態では複数（図示する場合は３本）の電線Ｗがシールドコネクタから後方に引き出された後、９０°曲げられて側方に引き出されている。
【００１３】
外装材１０は、図４に示すように、ゴム製のゴムブーツ３０と、樹脂製のコルゲートチューブ４０と、樹脂製のスリーブ５０とを備えて構成されている。ゴムブーツ３０は筒状をなし、楕円形の一側開口部３１と、円形の他側開口部３２とを有している。一側開口部３１の開口面積は、他側開口部３２の開口面積よりも大きい。
【００１４】
コルゲートチューブ４０は周知の構造とされ、コルゲートチューブ４０の外周には、周方向に延びる複数条の環状凹部４１が軸方向に所定の間隔を空けて連続して形成されている。コルゲートチューブ４０のうちゴムブーツ３０の他側開口部３２の内側に収容された部分は、円筒状の取付部４２とされている。
【００１５】
スリーブ５０は、ゴムブーツ３０の他側開口部３２に装着されている。スリーブ５０は、他側開口部３２とコルゲートチューブ４０の取付部４２との間に配設された小径部５１と、小径部５１に連なって小径部５１よりも外径が大きい大径部５２と、複数条の環状凹部４１にそれぞれ嵌合する複数条の環状突部５３とを備えて構成されている。大径部５２の外径は、他側開口部３２の外径と等しく、大径部５２の内径は、小径部５１の内径と等しい。このため、スリーブ５０の小径部５１を他側開口部３２の内部に嵌合すると、小径部５１と大径部５２の段差部分が他側開口部３２の端部に当接することで嵌合が停止される。これにより、他側開口部３２の外周面と大径部５２の外周面とは面一をなして連続する。
【００１６】
ゴムブーツ３０とスリーブ５０の小径部５１は、摩擦抵抗が大きいため容易に回転しないようになっているものの、スリーブ５０とコルゲートチューブ４０は、摩擦抵抗が小さいため容易に回転するようになっている。また、コルゲートチューブ４０の環状凹部４１とスリーブ５０の環状突部５３との間にはクリアランスが設定されているため、スリーブ５０がコルゲートチューブ４０に対して軸方向に移動することを許容しつつ、スリーブ５０がコルゲートチューブ４０から抜けないようにされている。これにより、ゴムブーツ３０の一側開口部３１をシールドシェル２０に組み付ける際に、ゴムブーツ３０がねじれたり、軸方向にずれたりすることを回避できる。
【００１７】
ゴムブーツ３０の組付方法について簡単に説明すると、複数の電線Ｗをコルゲートチューブ４０とスリーブ５０とゴムブーツ３０とに先通ししておき、コルゲートチューブ４０の取付部４２をスリーブ５０の内部に組み付ける。すると、スリーブ５０の各環状突部５３がコルゲートチューブ４０の各環状凹部４１に嵌まり込む。次に、このスリーブ５０をゴムブーツ３０の他側開口部３２の内部に組み付けると、大径部５２が他側開口部３２の端部に当接してスリーブ５０が位置決めされる。そして、ゴムブーツ３０の一側開口部３１をシールドシェル２０に組み付けると、スリーブ５０がコルゲートチューブ４０に対して回転したり、軸方向に移動したりすることでゴムブーツ３０が自然状態のまま（周方向にねじれたり、軸方向にずれたりすることなく）シールドシェル２０に取付固定される。
【００１８】
以上のように本実施形態では、ゴムブーツ３０の一側開口部３１をシールドシェル２０などに組み付けた際にゴムブーツ３０がねじられようとした場合でも、スリーブ５０によってゴムブーツ３０の他側開口部３２がコルゲートチューブ４０の取付部４２に対して移動するため、ゴムブーツ３０がねじられることはなく意匠性が低下するおそれはない。同様に、ゴムブーツ３０が軸方向にずれようとした場合でも、スリーブ５０によってゴムブーツ３０が軸方向にずれることはなく意匠性が低下するおそれはない。
【００１９】
取付部４２の外周には、周方向に延びる環状凹部４１が設けられ、スリーブ５０の内周には、環状凹部４１に嵌合する環状突部５３が設けられている構成としてもよい。
このような構成によると、環状突部５３と環状凹部４１が嵌合することにより、周方向の移動を許容しつつも、スリーブ５０が取付部４２から外れないように保持することができる。
【００２０】
スリーブ５０は、他側開口部３２の内側に嵌合することで組み立てられる樹脂部品である構成としてもよい。
このような構成によると、電線径が変更になったり、電線本数が変更になったりした場合でも、スリーブ５０の形状を変更すれば対応することができるため、柔軟な対応が可能になる。
【００２１】
＜他の実施形態＞
本明細書によって開示される技術は上記記述及び図面によって説明した実施形態に限定されるものではなく、例えば次のような種々の態様も含まれる。
（１）上記実施形態ではスリーブ５０に複数の環状突部５３が設けられているものを例示しているものの、このような環状突部５３を有しないスリーブとしてもよい。その場合、スリーブからコルゲートチューブ４０が外れないように抜け止めしつつ回転を許容する抜け止め部を設けることが望ましい。
【００２２】
（２）上記実施形態では樹脂製のスリーブ５０を例示しているものの、金属製のスリーブとしてもよい。また、スリーブを二色成形によってゴムブーツに予め設けてもよい。
【００２３】
（３）上記実施形態ではシールドシェル２０に組み付けられるゴムブーツ３０を例示しているものの、金属パイプの端部に組み付けられるゴムブーツ３０としてもよい。
【符号の説明】
【００２４】
１０…ワイヤハーネス用外装材
３０…ゴムブーツ
３１…一側開口部
３２…他側開口部
４０…コルゲートチューブ
４１…環状凹部
４２…取付部
５０…スリーブ
５３…環状突部
Ｗ…電線
【図１】
2017004740.tif 000003
【図２】
2017004740.tif 000004
【図３】
2017004740.tif 000005
【図４】
2017004740.tif 000006